(57)【要約】【課題】  離水率が低くて粘着性が高くなったパッド材であっても、欠け等が発生することなく、このパッド材がパッド材収容容器の収容凹部内に適切に収容されるようにすると共に、このパッド材をパッド材収容容器の収容凹部内から簡単に取り出せるようにする。【解決手段】  ゲル状粘着体からなるパッド材10を収容させる収容凹部21が設けられたパッド材収容容器20において、収容凹部の周壁22が底部23から略垂直に立ち上がった立ち上り部22aと収容凹部の開口部24に向けて広がったテーパー部22bとを有するようにし、このパッド材収容容器の収容凹部内に上記のパッド材を収容させると共に、この収容凹部の開口部を閉塞部材２により密封させて携帯用パッド材を得た。【選択図】  図３
2005168835.tif 000002
【特許請求の範囲】
【請求項１】
ゲル状粘着体からなるパッド材を収容させる収容凹部が設けられたパッド材収容容器において、上記の収容凹部の周壁が底部から略垂直に立ち上がった立ち上り部と収容凹部の開口部に向けて広がったテーパー部とを有することを特徴とするパッド材収容容器。
【請求項２】
請求項１に記載したパッド材収容容器の収容凹部内にゲル状粘着体からなるパッド材を収容させると共に、この収容凹部の開口部を閉塞部材により密封したことを特徴とする携帯用パッド材。
【請求項３】
請求項２に記載した携帯用パッド材において、上記のパッド材として、離水率が６％以下のものを用いたことを特徴とする携帯用パッド材。
【発明の詳細な説明】
【技術分野】
【０００１】
本発明は、ゲル状粘着体からなるパッド材を収容させる収容凹部が設けられたパッド材収容容器及びこのパッド材収容容器にパッド材を収容させた携帯用パッド材に係り、特に、離水率が低くて粘着性が高くなったパッド材であっても、パッド材収容容器の収容凹部内に適切に充填されるようにすると共に、このパッド材をパッド材収容容器の収容凹部内から簡単に取り出せるようにした点に特徴を有するものである。
【背景技術】
【０００２】
近年、保冷や美顔等の目的で、少なくとも水溶性高分子と水とを加えてゲル化させたゲル状粘着体からなるパッド材が用いられるようになり、またこのようなパッド材を携帯できるようにするため、このパッド材をパッド材収容容器に設けられた収容凹部内に収容させて、この収容凹部の開口部を閉塞部材により密封させた携帯用パッド材が商品化されている。
【０００３】
ここで、上記のパッド材収容容器としては、図１（Ａ）に示すように、パッド材１０を収容させる収容凹部１の周壁１ａを底部１ｂから開口部１ｃに向けて略垂直に立ち上げたパッド材収容容器１Ａや、図２（Ａ）に示すように、パッド材１０を収容させる収容凹部１の周壁１ａを底部１ｂから開口部１ｃに向けてテーパー状に広がるように設けたパッド材収容容器１Ｂが用いられていた。
【０００４】
そして、上記のようなパッド材収容容器１Ａ，１Ｂにパッド材１０を収容させて携帯用パッド材を製造するにあたっては、図１（Ｂ）及び図２（Ｂ）に示すように、上記の各パッド材収容容器１Ａ，１Ｂにおける収容凹部１内にパッド材１０を構成するゲル組成物を充填し、その後、収容凹部１の開口部１ｃを閉塞部材２により密封させると共に、上記のゲル組成物をゲル化させてパッド材１０が収容凹部１内に収容された携帯用パッド材を得るようにしている。
【０００５】
また、近年においては、上記のパッド材１０が目元や顎部等の貼付部位に十分に貼付されて保持されるようにすると共に、収容凹部１の開口部１ｃを密封している閉塞部材２を取り外してパッド材１０を取り出す場合に、パッド材１０から離水した水がこぼれたりするのを防止するため、離水率が低くて粘着性が高くなった薄いパッド材１０を用いることが検討されている。
【０００６】
しかし、このような離水率が低くて粘着性が高くなった薄いパッド材を、図１（Ａ）に示すパッド材収容容器１Ａの収容凹部１内に収容させて取り出す場合、上記のパッド材１０が収容凹部１の底部１ｂや周壁１ａに密着して簡単に取り出すことができないという問題が生じた。
【０００７】
また、このパッド材１０を収容凹部１から取り出すために、このパッド材収容容器１Ａを折り曲げた場合、折り曲げ部分においては、図１（Ｃ）に示すように、収容凹部１の片側の周壁１ａが外側に広がるように倒れる一方、収容凹部１の反対側の周壁１ａは内側に倒れるようになり、この内側に倒れた周壁１ａによってパッド材１０が押え付けられ、パッド材１０を取り出す際に、この部分が引っ掛かって取り出しにくくなったり、パッド材１０が傷ついたりするという問題があった。
【０００８】
また、上記のような離水率が低くて粘着性が高くなったパッド材１０を得るのに用いるゲル組成物は粘着性や表面張力が高くなるため、このようなゲル組成物を上記の図２（Ａ）に示すパッド材収容容器１Ｂの収容凹部１内に充填させた場合に、底部１ｂから開口部１ｃに向けてテーパー状に広がった収容凹部１の周壁１ａの部分にゲル組成物がうまく充填されずに大きな空間が残り、この状態で、収容凹部１の開口部１ｃを閉塞部材２により密封させて上記のゲル組成物をゲル化させると、図２（Ｃ）に示すように、収容凹部１の周壁１ａの部分においてパッド材１０に欠け１０ａが生じるという問題があった。
【発明の開示】
【発明が解決しようとする課題】
【０００９】
この発明は、ゲル状粘着体からなるパッド材をパッド材収容容器の収容凹部に収容させた携帯用パッド材における上記のような問題を解決することを課題とするものであり、離水率が低くて粘着性が高くなったパッド材であっても、欠け等が発生することなく、このパッド材がパッド材収容容器の収容凹部内に適切に収容されるようにすると共に、このパッド材をパッド材収容容器の収容凹部内から簡単に取り出せるようにすることを課題とするものである。
【課題を解決するための手段】
【００１０】
この発明のパッド材収容容器においては、上記のような課題を解決するため、ゲル状粘着体からなるパッド材を収容させる収容凹部が設けられたパッド材収容容器において、上記の収容凹部の周壁が底部から略垂直に立ち上がった立ち上り部と収容凹部の開口部に向けて広がったテーパー部とを有するようにしたのである。
【００１１】
また、この発明の携帯用パッド材においては、上記のような課題を解決するため、上記のパッド材収容容器の収容凹部内にゲル状粘着体からなるパッド材を収容させると共に、この収容凹部の開口部を閉塞部材により密封させるようにしたのである。
【００１２】
ここで、上記のパッド材が目元や顎部等の貼付部位に十分に貼付されて保持されるようにするためには、離水率が低くて粘着性が高くなった薄いパッド材を用いることが好ましく、離水率が６％以下、好ましくは３％以下で、その厚みが５ｍｍ以下、好ましくは３ｍｍ以下になったパッド材を使用することが好ましい。なお、上記の離水率については、収容凹部に充填させた時点のパッド材の重量をＷｏ、収容凹部から取り出したパッド材の表面の水分を拭き取った後の重量をＷａとし、下記の式によって求めた。
【００１３】
離水率（％）＝［（Ｗｏ−Ｗａ）／Ｗｏ］×１００
【００１４】
また、上記のパッド材収容容器においては、上記のように離水率が低くて粘着性が高くなったパッド材が収容凹部に欠け等がなく十分に充填されるようにすると共に、このパッド材を収容凹部から簡単に取り出せるようにするため、底部から略垂直に立ち上がった立ち上り部の高さを、好ましくは３ｍｍ以下、より好ましくは２ｍｍ以下にする一方、収容凹部の開口部に向けて広がったテーパー部の高さを、好ましくは２ｍｍ以下、より好ましくは１ｍｍ以下にする。しかし、立ち上り部の高さやテーパー部の高さは、特に上記のようなものに限定されず、収容容器を折り曲げてパッド材を取り出す場合に、折り曲げ部分における両側の周壁が互いに外側に倒れるようになっていればよい。
【００１５】
また、上記のテーパー部の傾斜角度については、収容凹部内に充填されて上記の立ち上り部の上端から表面張力によって盛り上がるゲル組成物が接触しないような傾斜角度に設定することが好ましく、例えば、垂直軸に対して４５°程度又はそれ以上の角度で外方に傾斜させることができるが、特にこれに限定されるものではない。
【発明の効果】
【００１６】
この発明におけるパッド材収容容器においては、ゲル状粘着体からなるパッド材を収容させる収容凹部の周壁が底部から略垂直に立ち上がった立ち上り部と収容凹部の開口部に向けて広がったテーパー部とを有するようにしたため、離水率が低くて粘着性が高くなったパッド材に用いる粘着性や表面張力が高くなったゲル組成物を収容凹部に充填させる場合においても、収容凹部の周壁が底部から開口部に向けてテーパー状に広がった従来のパッド材収容容器のように、収容凹部の周壁の部分にゲル組成物が充填されない空間が残るのが抑制され、ゲル組成物が収容凹部内に十分に充填されるようになる。
【００１７】
このため、この状態で収容凹部の開口部を閉塞部材により密封させ、上記のゲル組成物をゲル化させて携帯用パッド材を得た場合に、収容凹部の周壁の部分においてパッド材に欠けが生じるのが防止される。
【００１８】
また、この携帯用パッド材を使用するにあたり、収容凹部の開口部を密封している閉塞部材を取り外して、収容凹部からパッド材を取り出す場合においては、収容凹部の周壁に開口部に向けて広がったテーパー部が存在しているため、収容凹部の周壁が底部から略垂直に立ち上げられただけの従来のパッド材収容容器に比べて、パッド材の取り出しが容易になる。また、このパッド材収容容器を折り曲げた場合においても、上記の従来のパッド材収容容器のように折り曲げ部分において、一方の周壁が内側に倒れてパッド材が押え付けられるということがなく、折り曲げ部分における両側の周壁が外側に倒れるようになって、パッド材を傷つけたりすることなく、簡単に取り出せるようになる。
【発明を実施するための最良の形態】
【００１９】
以下、この発明の実施形態に係るパッド材収容容器及び携帯用パッド材を添付図面に基づいて具体的に説明する。なお、この発明に係るパッド材収容容器及び携帯用パッド材は、特に下記の実施形態に示したものに限定されるものではなく、その要旨を変更しない範囲において適宜変更して実施できるものである。
【００２０】
この実施形態に係るパッド材収容容器２０においては、図３（Ａ）に示すように、パッド材１０を収容させる収容凹部２１が設けられ、この収容凹部２１の周壁２２は、収容凹部２１の底部２３から略垂直に立ち上がった立ち上り部２２ａと、収容凹部２１の開口部２４に向けて広がったテーパー部２２ｂとを有している。また、この収容凹部２１の開口部２４の周囲には張り出した鍔部２５が形成されている。
【００２１】
そして、上記のパッド材収容容器２０を用いて携帯用パッド材を製造するにあたっては、図３（Ｂ）に示すように、パッド材１０を収容させる収容凹部２１内にパッド材１０を構成するゲル組成物１０を充填させるようにする。
【００２２】
ここで、離水率が低くて粘着性が高くなったパッド材１０を得るために、粘着性や表面張力が高いゲル組成物１０を収容凹部２１内に充填させる場合、収容凹部２１に供給されたゲル組成物１０は収容凹部２１の底面２３と立ち上り部２２ａとの隅部において、これら両面に表面張力を及ぼして引き合い、この隅部に空洞を形成することなく速やかに充填されるようになる。このため、この充填させたゲル組成物を固化させたパッド材１０において、隅部に対応する部分に欠けや気泡が形成されるのが防止される。
【００２３】
また、上記の立ち上り部２２ａから開口部２４に向けて広がったテーパー部２２ｂが連続して形成されており、立ち上り部２２ａを越えて供給されるゲル組成物１０は、それ自身の表面張力が大きいため、図３（Ｂ）に示すように、テーパー部２２ｂに接触することなく、少し盛り上がるようにして充填させることができ、収容凹部２１の開口部２４からゲル組成物１０が漏れ出すのも防止することができる。
【００２４】
そして、このようにゲル組成物１０を収容凹部２１に充填させた後、図３（Ｃ）に示すように、この収容凹部２１の開口部２４を密封するようにして閉塞部材２を開口部２４の周囲に張り出した鍔部２５に取り付け、上記のゲル組成物１０をゲル化させて、パッド材１０が収容凹部２１内に収容された携帯用パッド材を得るようにする。なお、上記のように収容凹部２１の開口部２４を密封するようにして閉塞部材２を取り付ける場合、上記のように開口部２４より少し盛り上がったゲル組成物１０が開口部２４に向けて広がったテーパー部２２ｂに流れ込んで、パッド材１０に欠け１０ａが生じるのが抑制される。
【００２５】
また、上記のようにパッド材１０が収容凹部２１内に収容された携帯用パッド材からパッド材１０を取り出して使用するにあたっては、収容凹部２１の開口部２４を密封している閉塞部材２を取り外し、この収容凹部２１内からパッド材１０を取り出すようにする。
【００２６】
ここで、この実施形態のパッド材収容容器２０においては、上記のように収容凹部２１の周壁２２に開口部２４に向けて広がったテーパー部２２ｂが存在しているため、収容凹部２１内からパッド材１０を取り出すにあたって、このパッド材収容容器２０を折り曲げた場合、図４（Ａ），（Ｂ）に示すように、この折り曲げ部分における両側の周壁２２が外側に倒れ、特に、少なくとも一方の周壁２２が大きく倒れ、その立ち上り部２２ａとテーパー部２２ｂとが略直線状につながって、これらが収容凹部２１の底面２３より下方に傾斜するようになり、固の部分においてパッド材１０の側面が露出し、この部分からパッド材１０を傷つけたりすることなく、簡単に取り出せるようになる。
【００２７】
ここで、上記のパッド材収容容器２０を構成する材質としては、射出成形、真空成形、圧空成形等が可能な熱可塑性樹脂を用いることが好ましいが、別段これに限定されるものではない。また、収容させるパッド材１０の性質及びこのパッド材１０に混入される各種の物質を考慮して、透光性又は遮光性等の特性をもつ材質を適宜選択して用いるようにする。
【００２８】
さらに、上記のパッド材収容容器２０は、単一の樹脂で構成されたものであっても、また複数の樹脂層のラミネート体や、樹脂層と金属層その他の層とのラミネート体であっても良い。
【００２９】
なお、上記のパッド材収容容器２０が、単一の樹脂で形成されかつ透光性を要する場合には、ポリプロピレン、ポリエチレンテレフタレート、ポリスチレン等の熱可塑性樹脂が好ましいものとして挙げられる。一方、遮光性を要する場合には、上記樹脂層にアルミ箔をラミネートしたラミネート体が好ましいものとして挙げられる。しかし、これらに限定されるものではない。
【００３０】
また、パッド材収容容器２０の肉厚は、携帯時、流通時、保存時等に加わる力に耐える機械的強度を有するように設定され、例えば、射出成形による場合には、３０〜１０００μｍが好ましく、１００〜５００μｍがさらに好ましい範囲として挙げられるが、これも限定されるものではない。
【００３１】
また、このパッド材収容容器２０に設ける収容凹部２１の平面形状は、パッド材１０の平面形状に対応するため、パッド材１０を貼付させる部位に応じて適宜変更することができ、またある種のキャラクターや動物や植物を象った形状にすることもできる。
【００３２】
また、パッド材１０が目元や顎部等の貼付部位に十分に貼付されて保持されるようにするためには、前記のように薄いパッド材１０を用いることが好ましいため、このパッド材収容容器２０に設ける収容凹部２１についても、パッド材１０と対応するように、収容凹部２１を浅くすることが好ましい。
【００３３】
また、上記のように収容凹部２１の周壁２２に、収容凹部２１の底部２３から略垂直に立ち上がった立ち上り部２２ａと、収容凹部２１の開口部２４に向けて広がったテーパー部２２ｂとを設けるにあたり、テーパー部２２ｂが高くなりすぎたり、垂直方向に対するテーパー部２２ｂの傾斜が大きくなりすぎると、上記のような粘着性や表面張力が高いゲル組成物１０を収容凹部２１内に充填させた場合に、ゲル組成物１０が充填されない空間が多く残るようになり、パッド材１０に欠け１０ａが生じ易くなる。一方、このテーパー部２２ｂが低すぎたり、垂直方向に対するテーパー部２２ｂの傾斜が小さすぎると、上記のようにパッド材収容容器２０を折り曲げて、収容凹部２１内からパッド材１０を取り出すにあたり、この折り曲げ部分における両側の周壁２２が外側にうまく倒れずに、一方の周壁２２が内側に倒れるおそれがあり、パッド材１０の取り出しが困難になるおそれがある。
【００３４】
このため、収容凹部２１の周壁２２に、収容凹部２１の底部２３から略垂直に立ち上がった立ち上り部２２ａと、収容凹部２１の開口部２４に向けて広がったテーパー部２２ｂとを設けるにあたっては、前記のように立ち上り部２２ａの高さを好ましくは３ｍｍ以下、より好ましくは２ｍｍ以下にする一方、テーパー部２２ｂの高さを好ましくは２ｍｍ以下、より好ましくは１ｍｍ以下にし、またテーパー部２２ｂの垂直方向に対する傾斜角度を４５°以上にすることが好ましい。
【００３５】
また、上記のパッド材１０は、少なくとも水溶性高分子と水とを加えてゲル化するゲル組成物で構成され、このゲル組成物は、架橋剤、増粘剤、ゲル化剤等の添加物を必要としてゲル化するものであっても、このような添加物を用いなくてゲル化するものであってもよい。
【００３６】
そして、パッド材１０に用いる上記の水溶性高分子としては、例えば、カラギーナン、ローカストビーンガム、タマリンガム、ジェランガム、ペクチン、グルコマンナン、ポリアクリル酸、ポリアクリル酸の塩類、ポリアクリル酸の部分中和物、ポリグルタミン酸、ポリグルタミン酸の塩類、ポリグルタミン酸の部分中和物、ポリビニルアルコール、ゼラチン、カルボキシメチルセルロースナトリウム、アルギン酸、アルギン酸の塩類、カルボキシビニルポリマー、グラフト澱粉からなる群から選択される１つ又は２つ以上の混合物を用いることができるが、特に、これらに限定されるものではない。
【００３７】
ここで、前記のようにパッド材１０が額等の貼付部位に十分に貼付されて保持されるようにすると共に、パッド材１０から離水した水がこぼれたりするのを防止するために、離水率が低くて粘着性が高くなったパッド材１０を得るにあたっては、カラギーナン、ローカストビーンガム、ポリアクリル酸、ポリアクリル酸の部分中和物、カルボキシメチルセルロースナトリウムから選択される２種以上の混合物を用いることが好ましい。
【００３８】
また、上記のパッド材１０においては、それぞれの目的に応じて、アロマオイル及びその他の油成分や薬理活性物質等を含有させることができる。
【００３９】
そして、このようにパッド材１０にアロマオイル及びその他の油成分や薬理活性物質を含有させると、パッド材１０からこれらの物質が身体の対象部位に徐々に伝わり、保冷・保湿効果と共に、これらの物質による効果も得られるようになる。
【００４０】
ここで、上記のアロマオイルとしては、一般にアロマテラピーに用いられる精油成分（精油類）をそのまま用いることができる。この精油成分としては、例えばワンダー・セラー著「アロマテラピーのための８４の精油成分」、フレグランスジャーナル社に記載されているものが挙げられる。具体的には、アニス、アンジェリカ、安息香、イモーテル、カモミール、ガーリック、カルダモン、ガルバナム、キャラウェイ、キャロットシード、グアヤックウッド、グレープフルーツ、サイブレス、シダーウッド、スターアニス、セージ、ゼラニウム、セロリ、タイム、タラゴン、テレピン、乳香、バイオレット、パイン、パセリ、フェンネル、ブラックペッパ、ボダイジュ花、レモン、レモングラス、ローズマリー、ローレル、シモツケギク、シモツケソウ、ヤグルマギク、アーモンド、アルニカ、ウイキョウ、エニシダ、クレソン、ゲンチアナ、ショウノウ、スモモ、セイヨウナシ、タイソウ、タンポポ、チモ、チョレイ、トウガシ、ノイバラ、ハッカ、トネリコ、ブクリョウ、メリッサ、モモ、ヤドリギ、ユーカリ、ヨクイニン、ラベンダ、レンギョウ等からの抽出物を挙げることができるが、別段これらに限定されない。また、その他の油成分としては、流動パラフィン、シリコーンオイル、ココナッツオイル、マカデミアオイル、スクラワン、オリーブオイル、オレンジオイル、ホホバオイル等を挙げることができる。
【００４１】
また、薬理活性物質としては、上記のアロマオイルと重なってもよく、例えばメントール、カンフル、インドメタシン、ケトプロフェン、ジクロフェナック、オオバクエキス、グリチルリチン酸ジカリウム、ヒアルロン酸、アルブチン、酢酸トコフェロール、アラントイン、ビタミンＣ類、水溶性アズレン、アクリノール等が挙げられる。
【００４２】
また、上記のもの以外に、ビタミンＡ，Ｂ，Ｃ，Ｅ等のビタミン類、セレニウム，亜鉛等のミネラル類、リンゴ，オレンジ，レモン，キウイ等の果実エキスや果汁等を適宜含有させることもできる。
【００４３】
なお、またこのパッド材１０においては、その内部での液体の移動が容易に行われるようにするため、例えば、少なくとも表面が親水性を有する繊維群を内部に分散させるようにしても良い。この繊維群としては、例えば、パルプ、木綿糸、レーヨン、その他の各種親水性樹脂繊維のほか、表面が親水性処理された各種の疎水性樹脂繊維や、ガラス繊維・セラミックス繊維等が挙げられるが、これらに限定されない。また、上記繊維群は、パッド材１０の内部で三次元的に絡み合うように分散されることが好ましい。
【図面の簡単な説明】
【００４４】
【図１】パッド材を収容させる収容凹部の周壁が底部から開口部に向けて略垂直に立ち上げられた従来のパッド材収容容器の断面説明図、このパッド材収容容器の収容凹部にパッド材を収容させた携帯用パッド材の断面説明図、及び上記のパッド材収容容器の収容凹部からパッド材を取り出すためにパッド材収容容器を折り曲げた場合における折り曲げ部分の断面説明図である。
【図２】パッド材を収容させる収容凹部の周壁が底部から開口部に向けてテーパー状に広がった従来のパッド材収容容器の断面説明図、このパッド材収容容器の収容凹部にパッド材を収容させた携帯用パッド材の断面説明図、及び上記のパッド材収容容器の収容凹部に粘着性や表面張力が高いゲル組成物からなるパッド材を収容させた携帯用パッド材の断面説明図である。
【図３】この発明の実施形態に係るパッド材収容容器の断面説明図、このパッド材収容容器の収容凹部にパッド材を構成する粘着性や表面張力が高いゲル組成物を充填させた状態を示した断面説明図、及び上記のパッド材収容容器の収容凹部に粘着性や表面張力が高いゲル組成物からなるパッド材を収容させた携帯用パッド材の断面説明図である。
【図４】上記の実施形態に係るパッド材収容容器の収容凹部からパッド材を取り出すためにパッド材収容容器を折り曲げた状態を示した切断端面図及び折り曲げ部分の切断端面図である。
【符号の説明】
【００４５】
２  閉塞部材
１０  パッド材（ゲル組成物）
２０  パッド材収容容器
２１  収容凹部
２２  周壁
２２ａ  立ち上り部
２２ｂ  テーパー部
２３  底部
２４  開口部
【図１】
2005168835.tif 000003
【図２】
2005168835.tif 000004
【図３】
2005168835.tif 000005
【図４】
2005168835.tif 000006